(57)【要約】      （修正有）【課題】片側基準セット原稿搬送方式において、スキュー品質を向上させる一方で生産性を低下させることなく、且つ搬送音等の騒音も低減できる原稿搬送装置を提供する。【解決手段】原稿の一側面を基準に積載して積載原稿を１枚ずつ分離給送、軸方向に複数のコロ対を有する第１搬送ローラ対４ａ，４ｂと、第１搬送ローラ対４ａ，４ｂの原稿搬送下流側に軸方向に複数のコロ対を有する第２搬送ローラ対５ａ，５ｂと、第２搬送ローラ対５ａ，５ｂの下流側に位置する読取入口ローラ対と、第２搬送ローラ対５ａ，５ｂの従動側コロ群５ｂのうちの少なくとも２つに付設されコロ回転速度を検知する検知手段と、を備えて成り、第２搬送ローラ対５ａ，５ｂの従動側コロ群５ｂがそれぞれ独立して回転可能であり、検知手段により検知された各コロの間の回転速度差に応じて、第１搬送ローラ対４ａ，４ｂと第２搬送ローラ対５ａ，５ｂのいずれかの回転速度を変える。【選択図】図４
2012056718.tif 000002
【特許請求の範囲】
【請求項１】
原稿の一側面を基準にして積載して積載原稿を１枚ずつ分離給送する分離給送手段と、分離給送された原稿を読取位置まで搬送し、画像情報が読み取られた原稿を読取位置から送り出す搬送手段とを備えた、片側基準セット方式の原稿搬送装置において、
前記搬送手段が、ローラ軸方向に複数のコロ対を有する第１搬送ローラ対と、第１搬送ローラ対の原稿搬送下流側に位置しローラ軸方向に複数のコロ対を有する第２搬送ローラ対と、第２搬送ローラ対の原稿搬送下流側に位置する読取入口ローラ対と、第２搬送ローラ対の従動側コロ群のうちの少なくとも２つに付設されローラ回転速度を検知する検知手段と、を備えて成り、前記第２搬送ローラ対の従動側コロ群のコロがそれぞれ独立して回転可能であり、前記検知手段により検知された各コロの間の回転速度差に応じて、前記第１搬送ローラ対と前記第２搬送ローラ対のいずれか一方の回転速度を相対的に変えるように構成されていることを特徴とする原稿搬送装置。
【請求項２】
前記第２搬送ローラ対の従動側コロ群に付設される検知手段が、従動ローラのコロに設けられていることを特徴とする請求項１に記載の原稿搬送装置。
【請求項３】
前記第２搬送ローラ対の従動側ローラ対に付設される検知手段が、第２搬送ローラ対の原稿搬送下流側に配置されていることを特徴とする請求項１に記載の原稿搬送装置。
【請求項４】
読取位置の原稿搬送上流側に位置し、原稿の有無を判断する第３の検知手段を有し、この第３検知手段をトリガーに、前記読取入口ローラ対は加圧／圧解除するように構成されていることを特徴とする請求項１〜３のいずれか一項に記載の原稿搬送装置。
【請求項５】
前記第３検知手段が原稿スキューの補正がなされているかを確認することができることを特徴とする請求項４に記載の原稿搬送装置。
【請求項６】
前記第２搬送ローラ対の従動側ローラ対に付設される検知手段が、第２搬送ローラ対の原稿搬送下流側に配置される第２検知手段であり、原稿有無を判断する第３の検知手段が読取位置の原稿搬送上流側に位置し、第３検知手段をトリガーに、前記読取入口ローラ対は加圧／圧解除するように構成されていて、更に前記第２搬送ローラ対と前記読取入口ローラ対の間に原稿有無を判断する第４検知手段を有し、第２検知手段と第４検知手段にて原稿スキューを検知した場合、前記読取入口ローラ対を加圧することを特徴とする請求項１に記載の原稿搬送装置。
【請求項７】
請求項１〜６のいずれか一項に記載の原稿搬送装置を備えた画像読取装置。
【請求項８】
請求項１〜６のいずれか一項に記載の原稿搬送装置を備えた画像形成装置。
【発明の詳細な説明】
【技術分野】
【０００１】
本発明は、画像読取装置、画像形成装置等に搭載され、原稿搬送中にスキュー補正を行う原稿搬送装置に関するものである。
【背景技術】
【０００２】
従来、スキャナ、ファクシミリ、複写機等の画像形成装置に用いられる原稿搬送装置においては、２種類の原稿セット方式が知られている。１つ目は片側（通常、装置奥側）基準セット方式である。この片側基準セット方式では、幅の異なる原稿を混載セット（異幅混載）することが可能であり、且つ、サイドフェンスが片側のみであるため、操作性が良いというメリットがある。しかしながら、原稿が片側に片寄ってセットされるために原稿搬送構成についても片側基準にする必要があり、各種原稿に対して搬送力を均等に分布できずスキューし易くなるというデメリットもある。つまり、一般に搬送ローラは、軸方向に複数個のコロを配置しているが、そのために原稿幅によって原稿を挟むコロの分布にばらつきが生じ、ローラ圧のバランスが崩れ、搬送力が原稿表面に均等にかからずスキューし易くなるのである。２つ目の原稿セット方式は中央基準セット方式であり、原稿を給紙カセット等の中央位置でセットできるため、原稿に対して搬送力を左右均等にかけることができ、スキューし難いというメリットがある反面、異幅混載や操作性についてはデメリットとなる。つまり、スキューと異幅混載・操作性とは相反する関係になっていることが既に知られている。
【０００３】
片側基準セット方式を採用する場合、上記に示すように、原稿幅によっては搬送力を均等にかけることができずスキューし易くなるデメリットがあり、そのデメリットを補うために、ピックアップローラで呼び出され１枚ずつ分離された原稿の搬送側先端を突き当て用ローラ対のニップ部に突き当てて原稿を撓ませて、分離原稿の斜行補正が行われている。
【０００４】
例えば特許文献１には、原稿の突き当て動作を確実に行うことを目的に、分離機構と突き当てローラの間に、分離後の原稿の先端を突き当てる際、ピックアップローラの退避動作と連動して前記原稿の撓み形成を補助する撓み補助ローラを設け、撓み補助ローラとピックアップローラとは、軸周りに回動可能なアームの両端に取り付けられ、ピックアップローラと撓み補助ローラのいずれか一方が搬送対象の原稿に当接する構成が開示されている。
【０００５】
また特許文献２には、長尺シートや所定の剛性（厚さ）を超えたシートでも確実に斜行状態が矯正可能であることを目的として、原稿の搬送方向長さと原稿の厚さを加味し、センサによりスキュー量を検知して、原稿先端が先行している側のレジストローラ対の回転速度が低速となって原稿先端の位置を合わせる構成が開示されている。
【０００６】
しかしながら、ピックアップローラ対への突き当て補正では、いったん原稿を停止させる必要があり、原稿を停止させることで、前原稿と次原稿との紙間が大きくなり、生産性が低下してしまう問題があった。また、突き当て時の原稿衝突音や、突き当て後における原稿張り音等の騒音が発生する問題もあった。特許文献１に開示された構成でも、生産性の向上と画像品質（スキュー）向上の両者を同時に実現することはできず、また、突き当て時の原稿衝突音や、突き当て後における原稿張り音等の騒音という問題も解消できていない。特許文献２に開示された構成では、駆動モータを２つ独立で用いる必要があり、手前と奥の各ローラの位置精度も必要で、消費電力面、コスト面、部品精度面等の新たな問題が出てくる。
【発明の概要】
【発明が解決しようとする課題】
【０００７】
本発明の課題は、原稿搬送のための片側基準セット方式において、スキュー品質を向上させる一方で生産性を低下させることなく、且つ搬送音等の騒音も低減できる原稿搬送装置を提供することにある。
【課題を解決するための手段】
【０００８】
上記課題は、原稿の一側面を基準にして積載して積載原稿を１枚ずつ分離給送する分離給送手段と、分離給送された原稿を読取位置まで搬送し、画像情報が読み取られた原稿を読取位置から送り出す搬送手段とを備えた、片側基準セット方式の原稿搬送装置において、前記搬送手段が、ローラ軸方向に複数のコロ対を有する第１搬送ローラ対と、第１搬送ローラ対の原稿搬送下流側に位置しローラ軸方向に複数のコロ対を有する第２搬送ローラ対と、第２搬送ローラ対の原稿搬送下流側に位置する読取入口ローラ対と、第２搬送ローラ対の従動側コロ群のうちの少なくとも２つに付設されコロ回転速度を検知する検知手段と、を備えて成り、前記第２搬送ローラ対の従動側コロ群のコロがそれぞれ独立して回転可能であり、前記検知手段により検知された各コロの間の回転速度差に応じて、前記第１搬送ローラ対と前記第２搬送ローラ対のいずれか一方の回転速度を相対的に変えるように構成されることで、解決される。その際、前記第２搬送ローラ対の従動側コロ群に付設される検知手段が、従動ローラのコロに設けられるか、第２搬送ローラ対の原稿搬送下流側に配置されているのが、好適である。
【０００９】
読取位置の原稿搬送上流側に位置し、原稿の有無を判断する第３の検知手段を有し、この第３検知手段をトリガーに、前記読取入口ローラ対は加圧／圧解除するように構成されていれば、より目的に適っている。前記第３検知手段が原稿スキューの補正がなされているかを確認することができれば、一層好ましい。
【００１０】
前記第２搬送ローラ対の従動側ローラ対に付設される検知手段が、第２搬送ローラ対の原稿搬送下流側に配置される第２検知手段であり、原稿有無を判断する第３の検知手段が読取位置の原稿搬送上流側に位置し、第３検知手段をトリガーに、前記読取入口ローラ対は加圧／圧解除するように構成されていて、更に前記第２搬送ローラ対と前記読取入口ローラ対の間に原稿有無を判断する第４検知手段を有し、第２検知手段と第４検知手段にて原稿スキューを検知した場合に、前記読取入口ローラ対を加圧するのが、よい。
【発明の効果】
【００１１】
本発明によれば、分離給送された原稿を読取位置まで搬送し、画像情報が読み取られた原稿を読取位置から送り出す搬送手段が、ローラ軸方向に複数のコロ対を有する第１搬送ローラ対と、第１搬送ローラ対の原稿搬送下流側に位置しローラ軸方向に複数のコロ対を有する第２搬送ローラ対と、第２搬送ローラ対の原稿搬送下流側に位置する読取入口ローラ対と、第２搬送ローラ対の従動側コロ群のうちの少なくとも２つに付設されコロ回転速度を検知する検知手段と、を備えて成り、前記第２搬送ローラ対の従動側コロ群のコロがそれぞれ独立して回転可能であり、前記検知手段により検知された各コロの間の回転速度差に応じて、前記第１搬送ローラ対と前記第２搬送ローラ対のいずれか一方の回転速度を相対的に変えるように構成されているので、片側基準セット方式の原稿搬送装置において、原稿幅によって原稿を挟むコロの分布にばらつきが生じ、ローラ圧のバランスが崩れても、第１搬送ローラ対と第２搬送ローラ対の間で回転速度差を持たせることで、搬送される原稿の傾きの方向を変えることができ、原稿を停止させることなくスキュー補正をすることが可能で、スキュー品質を向上させつつ、生産性を低下させず、搬送音等の騒音も低減できる。
【００１２】
その際、前記第２搬送ローラ対の従動側コロ群に付設される検知手段が、従動ローラのコロに設けられていれば、スキューが発生すると共にスキュー検知を行うことができ、また第２搬送ローラ対の原稿搬送下流側に検知手段が配置されていれば、第２搬送ローラ５にスキューして進入した原稿のスキュー検知を行うことができる。
【００１３】
読取位置の原稿搬送上流側に位置し、原稿の有無を判断する第３の検知手段を有し、この第３検知手段をトリガーに、前記読取入口ローラ対は加圧／圧解除するように構成されていれば、原稿搬送路におけるスキュー補正可能区間を延ばすことができ、スキュー補正効果を高めることが可能である。
【００１４】
前記第２搬送ローラ対の従動側ローラ対に付設される検知手段が、第２搬送ローラ対の原稿搬送下流側に配置される第２検知手段であり、原稿有無を判断する第３の検知手段が読取位置の原稿搬送上流側に位置し、第３検知手段をトリガーに、前記読取入口ローラ対は加圧／圧解除するように構成されていて、更に前記第２搬送ローラ対と前記読取入口ローラ対の間に原稿有無を判断する第４検知手段を有し、第２検知手段と第４検知手段にて原稿スキューを検知した場合に、前記読取入口ローラ対を加圧すれば、スキュー補正し切れないイレギュラーな場合においても、突き当て補正を行うことで画像品質を向上させることができる。
【図面の簡単な説明】
【００１５】
【図１】従来の原稿読取装置における搬送経路の断面図である。
【図２】スキュー発生のメカニズムを説明する図である。
【図３】本発明に係る自動原稿搬送装置におけるスキュー補正のメカニズムを説明する図である。
【図４】スキュー検知手段の一構成例を示す概念図である。
【図５】スキュー検知手段の別の構成例を示す概念図である。
【図６】読取入口ローラにおける加圧／圧解除の一構成例を示す図である。
【図７】本発明に係る原稿読取装置における搬送経路の断面図である。
【図８】本発明に係る画像形成装置の概略断面図である。
【発明を実施するための形態】
【００１６】
上記した発明の特徴を備えた実施の形態について、以下の図面を用いて詳細に解説する。
本発明に係る構成例は、被読取原稿を固定の読取装置部に搬送し所定の速度で搬送しながら画像読取を行う画像読取装置に用いられる、自動原稿搬送装置（以下、ＡＤＦという）である。
【００１７】
先ず問題の再認識を図１、図２を用いて行う。図１は、従来のＡＤＦを具備した原稿読取装置における搬送経路の一例の断面を示す。原稿セットされた原稿束の上面に位置する原稿をピックアップローラ１により、分離ベルト２、リバースローラ３まで搬送し、分離ベルト２とリバースローラ３で一枚ずつ原稿を分離給送する。その後、第１搬送ローラ（引抜ローラ）４に原稿を突き当て、スキュー補正を行った後に、第２搬送ローラ５および読取入口ローラ６にて読取位置７まで搬送する（場合によっては、読取入口ローラ６でも原稿を突き当てスキュー補正を行う）。図示しないが読取位置７には透過ガラスの下方に例えば照明手段、ミラー、レンズ、光像を読み取るためのＣＣＤ素子が備えられ、原稿読取手段が構成されている。この読取位置７にて、原稿の表面画像を読み込み、ＣＩＳ（CMOSイメージセンサ）８にて裏面画像を読み込んだ後、原稿排紙する。
【００１８】
しかし、従来のＡＤＦでは、第１搬送ローラ４で突き当て補正した後、読取位置７まで搬送する間に、原稿幅によっては原稿幅方向で搬送力にばらつきが生じるがゆえにスキューが発生してしまう。図２ａ〜２ｃにスキュー発生のメカニズムを示す。
【００１９】
図２ａに、分離ベルト２と第１搬送ローラ４と第２搬送ローラ５に原稿を咬んでいる様子を示し、図中の矢印は原稿に与える力を示したものである。通常、第１搬送ローラ４の中央に位置するコロ（丸付き３；部分ローラ）は分離から原稿を引き抜くコロであり、搬送力を高め（約２５Ｎ）に設定されている。また、分離阻止力により第１搬送ローラ４では原稿スリップが発生し、原稿搬送速度が遅くなるために、第２搬送ローラ５よりも第１搬送ローラ４を若干速く回転させて、第１搬送ローラ４と第２搬送ローラ５の搬送速度を合わせるようにしている。この状態は、原稿にかかる力がある程度バランスが取れている状態であると言える。
【００２０】
図２ｂは、原稿後端が分離ベルト２を抜けた時の状態を示す。分離ベルト２を抜けたため、分離阻止力が無くなる、つまり第１搬送ローラ４の原稿スリップが無くなることで、第１搬送ローラ４のコロ（丸付き３）が第２搬送ローラ５のコロ（丸付き６）に対して原稿を押し込むようになる（図中の矢印）。特に厚紙原稿に対しては、紙のこしにより押し込む力が強くなり、大サイズでは奥側が先行し、小サイズでは手前側が先行するようになる。
【００２１】
図２ｃは、原稿先端がターン部を搬送されている時の状態を示す。ターン部の搬送負荷により第２搬送ローラ５では原稿スリップが発生し、原稿搬送速度が遅くなる。特に厚紙原稿に対しては、搬送負荷が大きくなるために、原稿搬送速度が遅くなる。ただし、第１搬送ローラ４のコロ（丸付き３）が原稿を押し込んでいるために、第２搬送ローラ５のコロ(丸付き６)では原稿スリップし難い。それに対して、第２搬送ローラ５の他コロ(丸付き６以外)では、原稿スリップするために、大サイズでは奥側が先行し、小サイズでは手前側が先行するようになる。これが片側基準セット方式におけるスキューのメカニズムである。
【００２２】
図３ａ、ｂは、本発明に係るＡＤＦにおけるスキュー補正のメカニズムを示す。図３ａは、大サイズが奥側先行し、小サイズが手前側先行した場合を示す。この場合、第２搬送ローラ５の駆動モータの回転速度を速め、第１搬送ローラ４よりも速い回転速度で第２搬送ローラ５を駆動する。そうすることで、第１搬送ローラ４の中央に位置するコロ（丸付き３）がブレーキ（搬送負荷）となり、大サイズでは手前側が先行し、小サイズでは奥側が先行するようになる。したがってスキューが補正される。
【００２３】
また、逆に図３ｂは、大サイズが手前側先行し、小サイズが奥側先行した場合を示す。この場合、第２搬送ローラ５の駆動モータの回転速度を遅くし、第１搬送ローラ４よりも遅い回転速度で第２搬送ローラ５を駆動する。そうすることで、第１搬送ローラ４の中央に位置するコロ（丸付き３）が押し込む状態となり、大サイズでは奥側が先行し、小サイズでは手前側が先行するようになる。したがってスキューが補正される。ここでは、第２搬送ローラ５の回転速度を変えることで説明しているが、第１搬送ローラ４の回転速度を変えても、スキュー補正は同様に可能である。
【００２４】
図４は、スキュー検知手段の一構成例を示す。第２搬送ローラ５の従動コロ５ｂに回転速度を検知できるセンサ機構を設ける。例えば従動コロ５ｂの軸５ｃ上方近傍に第１検知手段（透過型センサ）１０を配し、従動コロ５ｂ側面にエンコーダ９を一体的に配して、これらの組み合わせをもってセンサ機構とする。ここで、エンコーダ９は従動コロ５ｂ径より小さいものとし、原稿搬送を損ねず、従動コロ５ｂが回転することで、エンコーダ９も一緒に回転し、従動コロ５ｂの回転速度を第１検知手段（透過型センサ）１０より測定する構成である。そして、従動コロ５ｂの回転速度≒原稿搬送速度なので、第１検知手段（透過型センサ）１０より求められた回転速度から、原稿搬送速度を算出する。また、エンコーダ９と第１検知手段（透過型センサ）１０は、第２搬送ローラ５の全ての従動コロ５ｂに設けられ、回転している従動コロ５ｂの奥と手前での回転速度（≒原稿搬送速度）の差からスキュー発生の有無を確認する。つまり、大サイズの場合は、奥のコロは丸付き５のもので手前のコロは丸付き８のものとなり、小サイズの場合は奥のコロは丸付き５のもので手前のコロは丸付き６のものとなる。また、図示していないが原稿テーブルなどにセンサを設けて、予め原稿サイズを確認しておく必要がある。
【００２５】
図４に関して説明した構成は、スキューが発生した際のスキュー検知手段であり、図５では、第２搬送ローラ５にスキューして進入した原稿のスキュー検知手段の構成を示す。第２搬送ローラ５のすぐ下流側位置に第２検知手段（反射型センサ）１１を設け、奥と手前の検知時間差により原稿スキューを検知する。検知後、第２搬送ローラ５の駆動モータの回転速度を変えることでスキュー補正を行う。
【００２６】
図６ａ〜６ｃは、読取入口ローラ６の加圧／圧解除の構成例を示すものである。図６ａは加圧／圧解除構成の全体図であり、読取入口ローラ６の従動コロ６ｂの軸６ｃ端部に円筒形状部材６ｄを設け、カム部材１４と接するようになっている。また、従動コロ６ｂの軸６ｃには軸受１３も設けられ、この軸受１３をばね１２で押すことで従動コロ６ｂを間接的に加圧している。
【００２７】
図６ｂは、正面図に当たる図６ａの側面方向からの拡大図となっており、加圧／圧解除動作を示している。円筒形状部材６ｄと接しているカム部材１４が回転することで、従動コロ６ｂの軸６ｃが上下動し、加圧／圧解除する構成である（手前と奥の側板１５（図６ａ参照）には長穴が設けられ、従動コロ６ｂの軸６ｃは上下方向には移動可能である）。
【００２８】
図６ｃは、本発明に係るＡＤＦにおける搬送経路の一例の断面図であり、加圧／圧解除動作のタイミングを示す。ＡＤＦを構成する各部材はおおむね従来のものと共通するので、その共通する部材については参照番号を同じにすることで説明を省略する。読取入口ローラ６と読取位置７の間に第３検知手段（反射型センサ）１６を設け、第３検知手段（反射型センサ）１６により原稿先端を検知したら読取入口ローラ６を加圧し、第３検知手段（反射型センサ）１６により原稿後端が抜けたことを検知したら圧解除する構成になっている。通常、読取入口ローラ６に突入した時点で、第２搬送ローラ５の回転速度を変えた場合、スキュー補正効果は少なくなる。したがって、読取位置７直前まで読取入口ローラ６を加圧しないことで、スキュー補正可能区間を延ばし、スキュー補正効果を向上させることができる。
【００２９】
また、読取入口ローラ６と読取位置７の間に設けられた第３検知手段（反射型センサ）１６は、第２搬送ローラ５のすぐ下流側位置に設けられた第２検知手段（反射型センサ）１１と主走査方向に対して同様の位置に配置されており、原稿スキューが補正されているかを確認できる構成になっている。図６では、第３検知手段を第２検知手段と組み合わせて用いる例として説明したが、第３検知手段を第１検知手段と組み合わせて用いることも当然可能である。
【００３０】
図７は、本発明に係るＡＤＦ１００を具備した原稿読取装置における搬送経路の別例の断面図である。読取入口ローラ６の上流側位置に設けられた第４検知手段（反射型センサ）１７は、第２搬送ローラ５のすぐ下流側位置に設けられた第２検知手段（反射型センサ）１１と主走査方向に対して同様の位置に配置されている。第４検知手段（反射型センサ）１７若しくは第２検知手段（反射型センサ）１１にて、大スキューが検知された場合は、読取入口ローラ６をすぐに加圧し、読取入口ローラ６で原稿突き当て補正を行うこととする。このようなやり方をとることで、スキュー補正し切れない場合（イレギュラーな場合）においても、生産性は低下してしまうが、突き当て補正を行うことで、画像品質を向上できる。
【００３１】
最後に、上記したＡＤＦ１００を搭載したタンデム型画像形成装置を図８により説明する。この種の画像形成装置は、基本的に従来から周知の画像形成装置であるので、以下ではその構成について概略で説明するにとどめる。この図８に示した画像形成装置本体の略中央部上側には、イエロー（Ｙ）、シアン（Ｃ）、マゼンタ（Ｍ）及びブラック（Ｋ）の各色トナー像を形成するための画像形成手段として、４個の潜像担持体である感光体ドラム２１（Ｙ、Ｃ、Ｍ、Ｋ）が配設されている。これら４個の感光体ドラム２１（Ｙ、Ｃ、Ｍ、Ｋ）は、複数のローラに巻き掛けられた無端状の中間転写ベルト（中間転写体）３５の上側でこの中間転写ベルト３５に当接しながら、当該中間転写ベルト３５の走行辺に沿って等間隔で離間されて並列配置されている。これら感光体ドラム２１（Ｙ、Ｃ、Ｍ、Ｋ）は、画像形成時には、例えば駆動モータなど、不図示の感光体駆動源により反時計回りに回転駆動させられる。また、中間転写ベルト３５を張架している複数のローラのうちの１つである中間転写体駆動ローラ３２が、不図示の中間転写体駆動源によって駆動される駆動ローラとして構成されていて、当該駆動ローラ３２が回転駆動することにより、中間転写ベルト３５は、図中時計回りに回転駆動させられる。
【００３２】
また、この画像形成装置は当業者にはよく知られているため、図８では詳細には図示しないが、各感光体ドラム２１（Ｙ、Ｃ、Ｍ、Ｋ）の周囲には、それぞれ、帯電ローラ、現像スリーブ２２（Ｙ、Ｃ、Ｍ、Ｋ）、現像ブレード、現像剤攪拌スクリューなどを有する現像装置と、クリーニングブラシ、クリーニングブレード、回収スクリューなどを有するクリーニング装置と、が感光体ドラム２１（Ｙ、Ｃ、Ｍ、Ｋ）の回転方向に順に並んで配設されている。図８には、各感光体ドラム２１（Ｙ、Ｃ、Ｍ、Ｋ）の他には、これら構成部材のうち現像スリーブ２２（Ｙ、Ｃ、Ｍ、Ｋ）のみを概略で示している。さらに各感光体ドラム２１（Ｙ、Ｃ、Ｍ、Ｋ）に対向する位置であって、中間転写ベルト３５の内側に一次転写手段としての一次転写ローラ（図示せず）が設けられている。
【００３３】
さらにまた、この各感光体ドラム２１（Ｙ、Ｃ、Ｍ、Ｋ）の上側には、各トナー色の画像データに対応したレーザー光を、帯電ローラにより帯電された感光体ドラム２１（Ｙ、Ｃ、Ｍ、Ｋ）表面上に走査して、静電潜像を形成するための書き込み手段である露光装置（図示せず）が設けられている。この露光装置は、例えばレーザー光源やポリゴンミラーなどを有するレーザースキャン方式の露光装置とすることが可能であり、複数の半導体レーザー光源から、形成されるべき画像データに応じて変調されたビーム光を発し、絞りレンズ、ポリゴンミラー、走査レンズ及びミラーなどの適宜適切な光学部材を介して感光体ドラム２１（Ｙ、Ｃ、Ｍ、Ｋ）表面に書き込み情報に応じた静電潜像を作り出す。
【００３４】
現像装置により、各感光体ドラム２１（Ｙ、Ｃ、Ｍ、Ｋ）の表面に形成された静電潜像は、所定のトナー画像として現像されることで顕像化される。
画像形成装置本体の下部には、記録紙などの記録媒体が積層された給紙カセット（図示せず）が配設され、この給紙カセットから給送ローラなどの回転駆動により給送された記録媒体は、レジストローラ対４０まで搬送される。このレジストローラ対４０の記録媒体搬送方向下流側には、二次転写手段としての転写ローラ５０が、中間転写ベルト３５が掛け渡されるローラの一つである転写対向ローラ３３に対向して設けられていて、この転写ローラ５０と転写対向ローラ３３との作用により、記録媒体にフルカラートナー像が一括して転写される。さらに、二次転写部の搬送方向下流側には定着装置６０が設けられている。
【符号の説明】
【００３５】
１  ピックアップローラ
２  分離ベルト
３  リバースローラ
４  第１搬送ローラ
５  第２搬送ローラ
５ｂ  従動ローラ
５ｃ  軸
６  読取入口ローラ
６ｂ  従動ローラ
６ｃ  軸
６ｄ  円筒形状部材
７  読取位置
８  ＣＩＳ
９  エンコーダ
１０  第１検知手段（透過型センサ）
１１  第２検知手段（反射型センサ）
１２  ばね
１３  軸受
１４  カム部材
１５  側板
１６  第３検知手段（反射型センサ）
１７  第４検知手段（反射型センサ）
【先行技術文献】
【特許文献】
【００３６】
【特許文献１】特開２００２−１９３４９４号公報
【特許文献２】特開平１０−１１４４４７号公報
【図１】
2012056718.tif 000003
【図２】
2012056718.tif 000004
【図３】
2012056718.tif 000005
【図４】
2012056718.tif 000006
【図５】
2012056718.tif 000007
【図６】
2012056718.tif 000008
【図７】
2012056718.tif 000009
【図８】
2012056718.tif 000010